(57)【要約】【課題】  装着性および耐久性に優れた、眼鏡フレームに使用するノーズパッドホルダーを提供する。【解決手段】  凹部を有し、この凹部に設けられる止めねじによってノーズパッドの取付け部を回動可能に保持するホルダーボックス部と、眼鏡フレームに固着される線状部とからなり、その素材が少なくともＳｎ、Ｚｒ、およびＭｏを含むチタン合金とする。またさらに、ＶまたはＮｂを含むチタン合金とする。ホルダーボックス部と線状部とは一体の素材から加工して形成しても良く、又はロウ付加工により固着しても良い。【選択図】        図３
2006163121.tif 000002
【特許請求の範囲】
【請求項１】
凹部を有し、この凹部に設けられる止めねじによってノーズパッドの取付け部を回動可能に保持するホルダーボックス部と、眼鏡フレームに固着される線状部とからなるノーズパッドホルダーにおいて、前記ホルダーボックス部および前記線状部の素材が少なくともＳｎ、Ｚｒ、およびＭｏを含むチタン合金であることを特徴とするノーズパッドホルダー。
【請求項２】
前記チタン合金が、質量で１〜５％のＳｎ、８〜２０％のＺｒ、および３〜７％のＭｏを含む請求項１に記載のノーズパッドホルダー。
【請求項３】
前記チタン合金が、さらに質量で１〜５％のＶまたは１〜２８％のＮｂを含む請求項１又は２に記載のノーズパッドホルダー。
【請求項４】
前記線状部は、その線径が０．９ｍｍ以下である請求項１に記載のノーズパッドホルダー。
【発明の詳細な説明】
【技術分野】
【０００１】
この発明は、眼鏡フレームに使用するノーズパッドホルダーに関する。
【背景技術】
【０００２】
図１〜図５に示すように、一般に眼鏡フレームに使用されているノーズパッドホルダー１は、ホルダーボックス部２と線状部３とから構成されており、線状部３を眼鏡フレーム１４に溶接などで固着し、一方、ホルダーボックス部２に設けた凹部５にノーズパッド１６の取付け部１７を嵌入し、この凹部５に取付けられる止めねじ１８によってノーズパッド１６を回動可能に保持するように構成されている。
【０００３】
このノーズパッドホルダー１にあっては、ノーズパッド１６が眼鏡着用者の鼻の形状、大きさに応じてホルダーボックス部２に設けられた止めねじ１８を中心として回動し、如何なる鼻梁面であっても密着し得ることから、今日広く愛用されている。
【０００４】
ノーズパッドホルダー１の製造方法と使用する素材の性状について説明すると、ホルダーボックス部２は、凹部５を形成するために切削加工または押圧、引張加工を行い、貫通孔４、４を形成するための穿孔加工を行うので、用いる素材はこれらの加工を経済的に行えるよう優れた加工性を備えている必要がある。また、線状部３は、単に線材を折り曲げて形成したものであるが、眼鏡着用者にとって大切な装着性や耐久性に大きく影響する部分であり、使用する素材は強度および弾力性に優れ、永久変形を起こし難い性状であることが必要である。
【０００５】
ホルダーボックス部２と線状部３とを一体化するには二つの方法があり、その一つは図３に示すように、ホルダーボックス部２と線状部３とを一体の素材から加工して形成する方法である。この場合に用いる素材は線材であって、その断面を、ホルダーボックス部２の外面であって線状部３を接続する面と略同一の断面としたものを使用する。この線材に対して、凹部５の形成、貫通孔４、４の形成、線状部３の形成など一連の加工を行うことにより、ノーズパッドホルダー１を製造する。
【０００６】
したがって、この方法では一つの素材に対して多種類の加工を順次行うことになる。例えば、凹部５の形成における切削加工または押圧、引張加工、孔４の形成における穿孔加工、線状部３の形成における延伸加工などである。このため、使用する素材は全ての加工に対して優れた加工性を備えていることが必要とされる。このように多様な加工に対して優れた素材として、例えば特許文献１には、Ｃｕ、Ｐｂ、Ｆｅ、Ｍｎ、ＮｉおよびＺｎからなる合金が提案されている。しかしながら、このように銅を主体とする合金は、本来線状部３が必要としている強度及び弾力性が低く、永久変形を起こし易いという問題を有している。
【０００７】
また、ホルダーボックス部２と線状部３とを一体化する他の方法は、図５に示すように、金属線からなる線状部３の端部に、同種金属よりなるホルダーボックス部２をロウ付１９加工で固着する方法である。しかし、この方法では、眼鏡フレーム１４との固着作業中にロウ付１９部分が破損したり、あるいは長時間の使用でロウ付１９部分が徐々に腐食、疲労したりして破損し易くなる問題を有している。したがって、ロウ付の加工性に優れ、強度の高いロウ付加工が可能な素材が求められている。
【特許文献１】特開平９−６８６７６号公報
【発明の開示】
【発明が解決しようとする課題】
【０００８】
この発明の第一の目的は、ホルダーボックス部２と線状部３とを一体の素材から加工して形成したノーズパッドホルダー１であり、優れた強度と弾力性を備えて永久変形を起こし難いノーズパッドホルダー１を提供することである。
また、この発明の第二の目的は、ホルダーボックス部２と線状部３とをロウ付１９加工で固着したノーズパッドホルダー１であり、優れた強度と弾力性を備え永久変形を起こし難いと共に、眼鏡フレーム１４との固着作業中に、ロウ付１９部分が破損したり、あるいは長時間の使用でロウ付１９部分が腐食、疲労により破損することのないノーズパッドホルダー１を提供することである。
【課題を解決するための手段】
【０００９】
上記の目的を達成するために、この発明の請求項１に係るノーズパッドホルダーは、凹部を有し、この凹部に設けられる止めねじによってノーズパッドの取付け部を回動可能に保持するホルダーボックス部と、眼鏡フレームに固着される線状部とからなるノーズパッドホルダーにおいて、前記ホルダーボックス部および前記線状部の素材が少なくともＳｎ、Ｚｒ、およびＭｏを含むチタン合金であることを特徴とする手段を採用したものである。
【００１０】
また、この発明の請求項２に係るノーズパッドホルダーは、請求項１のノーズパッドホルダーにおいて、前記チタン合金が、質量で１〜５％のＳｎ、８〜２０％のＺｒ、および３〜７％のＭｏを含む手段を採用したものである。
【００１１】
さらに、この発明の請求項３に係るノーズパッドホルダーは、請求項１又は２に記載のノーズパッドホルダーにおいて、前記チタン合金が、さらに質量で１〜５％のＶまたは１〜２８％のＮｂを含む手段を採用したものである。
【発明の効果】
【００１２】
この発明は、上記の手段を採用したことにより、ホルダーボックス部２と線状部３とを一体の素材から加工して形成したノーズパッドホルダー１であり、優れた強度と弾力性を備えて永久変形を起こし難いノーズパッドホルダー１を提供することができる。また、ホルダーボックス部２と線状部３とをロウ付１９加工で固着したノーズパッドホルダー１であり、優れた強度と弾力性を備えて永久変形を起こし難いと共に、ロウ付１９部分が破損することのないノーズパッドホルダー１を提供することができる。
【発明を実施するための最良の形態】
【００１３】
チタン合金は、β相を含む合金とすることにより高い強度を備えることが知られており、例えば、Ｖ及びＡｌを含むチタン合金などが良く知られている。
この発明は、ノーズパッドホルダー１を構成する素材が、少なくともＳｎ、Ｚｒ、およびＭｏを含むことによりβ相のチタン合金を形成することを特徴としている。これらの元素を適当量含むことにより、１ＧＰａ以上の高い引張強度と、８０ＧＰａ以下の低いヤング率を簡単に得ることがでる。したがって、高い強度と弾力性を備え、永久変形を起こし難いので、優れた装着性および耐久性を備えたノーズパッドホルダー１を提供することができる。
【００１４】
高い引張強度を得るために、質量でＳｎは１％以上、Ｚｒは８％以上、Ｍｏは３％以上であることが好ましい。また、質量でＳｎは５％以下、Ｚｒは２０％以下、Ｍｏは７％以下とすることにより、ヤング率を低く抑えると共に種々な加工に対して優れた加工性を備えることができる。したがって、線状の素材に対して凹部５の形成における切削加工または押圧、引張加工、孔４の形成における穿孔加工、線状部３の形成における延伸加工などを順次容易に行うことが可能であり、ホルダーボックス部２と線状部３とを一体の素材から加工して形成したノーズパッドホルダー１を経済的に製造することができる。
【００１５】
さらに、上記の成分に加えてＶまたはＮｂを含むチタン合金とすることにより、良好なロウ付１９の加工特性を備えることが可能である。優れたロウ付の加工特性を備えるためには、質量で１％以上のＶまたはＮｂを含むことが好ましいが、他の優れた加工特性を保持するためには、Ｖを５％以下、Ｎｂを２８％以下とすることが好ましい。これによって、ホルダーボックス部２と線状部３とをロウ付１９加工で固着したノーズパッドホルダー１であって、眼鏡フレーム１４との固着作業中にロウ付１９部分が破損したり、あるいは長時間の使用でロウ付１９部分が破損することのないノーズパッドホルダー１を提供することができる。
【図面の簡単な説明】
【００１６】
【図１】この発明のノーズパッドホルダーを線状部側から見た概略斜視図である。
【図２】この発明のノーズパッドホルダーをホルダーボックス部側から見た概略斜視図である。
【図３】この発明のノーズパッドホルダーにノーズパッドを取付けた状態を示す概略図である。
【図４】この発明のノーズパッドホルダーを眼鏡フレームに取付けた状態を示す概略斜視図である。
【図５】この発明の他のノーズパッドホルダーにノーズパッドを取付けた状態を示す概略図である。
【符号の説明】
【００１７】
１……ノーズパッドホルダー
２……ホルダーボックス部
３……線状部
４……孔
５……凹部
１４……眼鏡フレーム
１６……ノーズパッド
１７……取付け部
１８……止めねじ
１９……ロウ付
【図１】
2006163121.tif 000003
【図２】
2006163121.tif 000004
【図３】
2006163121.tif 000005
【図４】
2006163121.tif 000006
【図５】
2006163121.tif 000007